(57)【要約】【課題】複数の送受話部と本体部とからなる電話端末において、インターネットを介して識別情報に基づく着信を受けた際、この識別情報の送受話部が音声通話可能な状態の時だけ、送受話部の呼び出しを行って音声通話を開始させるための技術を提供すること。【解決手段】電話端末は、インターネット網を介してＩＰアドレスに基づく着信を受けた際、このＩＰアドレスの割り当てられている送受話器が音声通話可能かどうかを判定し（ｓ５２０、５３０）、音声通話可能である場合のみ、この送受話器を呼び出して発信元とのインターネット網を介した音声通話を開始させる（ｓ５４０以降）。一方、音声通話不可能である場合は、音声通話不可能である旨のメッセージを発信元へ出力する（ｓ６２０、ｓ６３０）。【選択図】図５
2004128553.tif 000002
【特許請求の範囲】
【請求項１】
それぞれにインターネット上の識別情報が割り当てられた複数の送受話部と、インターネットを介して伝送される音声信号を入出力すると共に、該音声信号を前記送受話部へ中継する本体部とからなる電話端末であって、
前記本体部は、
インターネットを介して前記識別情報に基づく着信を受けた際に、該識別情報が割り当てられている前記送受話部へ使用状態を問い合わせる問合手段と、
該問合手段による問い合わせに対して応答された使用状態に基づいて、前記送受話部が音声通話可能かどうかを判定する判定手段と、
該判定手段により前記送受話部が音声通話可能であると判定された場合は、該送受話部を呼び出して発信元とのインターネットを介した音声通話を開始させる一方、音声通話不可能であると判定された場合には、音声通話不可能である旨を通知するためのメッセージを発信元へ出力する着信応答手段と、を備え、
前記送受話部は、
前記本体部から使用状態の問い合わせを受けた際に、当該送受話部の使用状態を前記本体部へ通知する通知手段を備えている
ことを特徴とする電話端末。
【請求項２】
前記送受話部は、前記本体部から使用状態の問い合わせを受けた際に、当該送受話部がインターネットを介した音声通話中であれば音声通話中であること、音声通話中でなければ音声通話中でないことを前記通知手段により通知して、
前記本体部は、前記送受話部から音声通話中であることが通知されたら該送受話部が音声通話不可能であり、音声通話中でないことが通知されたら該送受話部が音声通話可能であると前記判定手段により判定する
ことを特徴とする請求項１に記載の電話端末。
【請求項３】
前記送受話部は、利用者の操作を受けて当該送受話部が着信に応答可能な状態か否かを設定できる設定手段を備えており、前記本体部から使用状態の問い合わせを受けた際に、前記設定手段により応答不可能な状態に設定されていれば応答不可能な状態であること、応答可能な状態に設定されていれば応答可能な状態であることを前記通知手段により通知して、
前記本体部は、前記送受話部から応答不可能な状態であることを通知されたら該送受話部が音声通話不可能であり、応答可能な状態であることを通知されたら該送受話部が音声通話可能であると前記判定手段により判定する
ことを特徴とする請求項１または請求項２に記載の電話端末。
【請求項４】
前記送受話部は、前記本体部から使用状態の問い合わせを受けた際に、前記設定手段により応答不可能な状態に設定されている場合、前記通知手段によって、応答不可能な状態であることを通知すると共に、応答不可能である旨を通知するためのメッセージを前記本体部へ出力して、
前記本体部は、前記判定手段により前記送受話部が音声通話不可能であると判定された場合には、前記着信応答手段によって、応答不可能な状態であることの通知と共に前記送受話部から入力したメッセージを、音声通話不可能である旨を通知するためのメッセージとして発信元へ出力する
このように構成された請求項３に記載の電話端末。
【請求項５】
前記本体部は、利用者の操作を受けて前記複数の送受話部それぞれが着信に応答可能な状態か否かを個別に設定できる設定手段を備え、インターネットを介して前記識別情報に基づく着信を受けた際、該識別情報の割り当てられた前記送受話部が応答不可能な状態に設定されていれば該送受話部が音声通話不可能であり、応答可能な状態に設定されていれば該送受話部が音声通話可能であると前記判定手段により判定する
ことを特徴とする請求項１または請求項２に記載の電話端末。
【請求項６】
前記本体部は、音声信号を記録可能な音声記録手段と、前記着信応答手段によりメッセージを発信元へ出力した後、該発信元から入力される音声信号を前記音声記録手段に記録させる記録指令手段とを備えている
ことを特徴とする請求項１から請求項５のいずれかに記載の電話端末。
【請求項７】
前記本体部は、前記問合手段による問い合わせに対して応答がなかった場合に、前記送受話部が音声通話不可能であると前記判定手段により判定する
ことを特徴とする請求項１から請求項６のいずれかに記載の電話端末。
【請求項８】
それぞれにインターネット上の識別情報が割り当てられた複数の送受話部と、インターネットを介して伝送される音声信号を入出力すると共に、該音声信号を前記送受話部へ中継する本体部とからなる電話端末であって、
前記本体部は、
インターネットを介して前記識別情報に基づく着信を受けた際に、該識別情報が割り当てられている前記送受話部へ使用状態を問い合わせる問合手段と、
該問合手段による問い合わせに対して応答された使用状態に基づいて、前記送受話部が音声通話可能かどうかを判定する判定手段と、
該判定手段により前記送受話部が音声通話可能であると判定されたら、該送受話部のみを呼び出して発信元とのインターネットを介した音声通話を開始させる着信応答手段と、を備え、
前記送受話部は、
前記本体部から使用状態の問い合わせを受けた際に、当該送受話部の使用状態を前記本体部へ通知する通知手段を備えている
ことを特徴とする電話端末。
【請求項９】
それぞれにインターネット上の識別情報が割り当てられた複数の送受話部と、インターネットを介して伝送される音声信号を入出力すると共に、該音声信号を前記送受話部へ中継する本体部とからなる電話端末を制御するための各種手順を、コンピュータシステムに実行させるための端末制御プログラムであって、
インターネットを介して前記識別情報に基づく着信を受けた際に、該識別情報が割り当てられている前記送受話部の使用状態に基づいて、前記送受話部が音声通話可能かどうかを判定する判定手順と、
該判定手順における前記送受話部が音声通話可能であると判定された場合は、該送受話部を呼び出して発信元とのインターネットを介した音声通話を開始させる一方、音声通話不可能であると判定された場合には、音声通話不可能である旨を通知するためのメッセージを発信元へ出力する着信応答手順と、が含まれている
ことを特徴とする端末制御プログラム。
【請求項１０】
それぞれにインターネット上の識別情報が割り当てられた複数の送受話部と、インターネットを介して伝送される音声信号を入出力すると共に、該音声信号を前記送受話部へ中継する本体部とからなる電話端末を制御するための各種手順を、コンピュータシステムに実行させるための端末制御プログラムであって、
インターネットを介して前記識別情報に基づく着信を受けた際に、該識別情報が割り当てられている前記送受話部の使用状態に基づいて、前記送受話部が音声通話可能かどうかを判定する判定手順と、
該判定手順における前記送受話部が音声通話可能であると判定された場合は、該送受話部のみを呼び出して発信元とのインターネットを介した音声通話を開始させる着信応答手順と、が含まれている
ことを特徴とする端末制御プログラム。
【発明の詳細な説明】
【０００１】
【発明の属する技術分野】
本発明は、インターネットを介して伝送される音声信号に基づく音声を送受話器から入出力することによりインターネットを介した音声通話を実現する電話端末および端末制御プログラムに関する。
【０００２】
【従来の技術】
近年、インターネットを介した音声通話を実現するための技術が種々提案されており、これにより、インターネットを介した音声通話を実現可能な電話端末が開発され、普及し始めている。なお、インターネットを介した音声通話を実現するための技術としては、例えば、インターネット電話機能（インターネットを介した音声通話を実現する機能）を有する複数の端末を通信回線で接続し、これらの端末のうち何れか１台を親機、他を子機に設定して運用するインターネット親機電話装置（特許文献１参照）が提案されている。
【０００３】
【特許文献１】
特開２００１−２０３８０２号公報
【０００４】
【発明が解決しようとする課題】
上記のインターネット親機電話装置においては、親機または子機のいずれかの端末が着信を受けた場合に、全ての端末を呼び出すように構成されており、着信を受けた以外の端末でも着信に応答できるもので、着信を受けた端末と発信元（着信元）とが必ずしも通話できるようにはなっていない。そのため、着信された端末の利用者が不在の場合には、他の端末の利用者が通話できるという効果を有する反面、例えば、特定端末に対する発信元からの着信が他の端末に接続されるという不具合が発生してしまっていた。
【０００５】
本発明は、上記不具合を解消すべく、インターネットを介して着信を受けた際、その着信に対する音声通話を、着信を受けた端末と発信元との間で確実に開始できるようにするための技術を提供することを目的とする。
【０００６】
【課題を解決するための手段および発明の効果】
上記問題を解決するため請求項１に記載の電話端末は、
それぞれにインターネット上の識別情報が割り当てられた複数の送受話部と、インターネットを介して伝送される音声信号を入出力すると共に、該音声信号を前記送受話部へ中継する本体部とからなる電話端末であって、
前記本体部は、
インターネットを介して前記識別情報に基づく着信を受けた際に、該識別情報が割り当てられている前記送受話部へ使用状態を問い合わせる問合手段と、
該問合手段による問い合わせに対して応答された使用状態に基づいて、前記送受話部が音声通話可能かどうかを判定する判定手段と、
該判定手段により前記送受話部が音声通話可能であると判定された場合は、該送受話部を呼び出して発信元とのインターネットを介した音声通話を開始させる一方、音声通話不可能であると判定された場合には、音声通話不可能である旨を通知するためのメッセージを発信元へ出力する着信応答手段と、を備え、
前記送受話部は、
前記本体部から使用状態の問い合わせを受けた際に、当該送受話部の使用状態を前記本体部へ通知する通知手段を備えている、ことを特徴とする。
【０００７】
このように構成された電話端末によれば、インターネットを介して識別情報に基づく着信を受けた際に、この識別情報の割り当てられている送受話部が音声通話可能かどうかを判定手段により判定して、この判定結果で送受話部が音声通話可能である場合は、この送受話部を呼び出して発信元（着信元）とのインターネットを介した音声通話を開始させる一方、音声通話不可能である場合には、音声通話不可能である旨のメッセージを発信元へ出力するといった処理を着信応答手段により実行することができる。このように、インターネットを介して着信を受けた際、その着信に対する音声通話を、着信を受けた送受話部（端末）と発信元との間で確実に開始することができる。
【０００８】
また、インターネットを介して識別情報に基づく着信を受けた際、この識別情報の送受話部が音声通話可能な状態か否かを判定手段により判定することができ、この判定結果で音声通話可能である場合のみ、着信応答手段により送受話部の呼び出しを行うことができる。
【０００９】
さらに、判定手段の判定結果で音声通話不可能である場合には、着信応答手段により出力されるメッセージによって、発信元の利用者に音声通話不可能である旨を通知することができる。
なお、上述した「インターネット上の識別情報」とは、インターネット上に存在するデバイスやデータの位置、座標などを識別するための情報（ＵＲＩ：Ｕｎｉｆｏｒｍ　Ｒｅｓｏｕｒｃｅ　Ｉｄｅｎｔｉｆｉｅｒｓ）である。
【００１０】
また、本体部の問合手段は、送受話部へ使用状態を問い合わせる手段であって、例えば、使用状態の通知を要求するための制御信号を送受話部へ出力することによって問い合わを行うように構成すればよい。
また、送受話部の通知手段は、送受話部自身の使用状態を本体部へ通知する手段であって、例えば、本体部から使用状態の問い合わせを受けた際に、送受話部自身の使用状態を示す制御信号を本体部へ出力することによって通知を行うように構成すればよい。
【００１１】
また、本体部の判定手段は、送受話部が音声通話可能かどうかを判定する手段であって、例えば、送受話部が音声通話中であるか否かに基づいて、音声通話可能かどうかを判定するように構成すればよい。
より具体的な構成としては、例えば、請求項２に記載のように、
前記送受話部は、前記本体部から使用状態の問い合わせを受けた際に、当該送受話部がインターネットを介した音声通話中であれば音声通話中であること、音声通話中でなければ音声通話中でないことを前記通知手段により通知して、
前記本体部は、前記送受話部から音声通話中であることが通知されたら該送受話部が音声通話不可能であり、音声通話中でないことが通知されたら該送受話部が音声通話可能であると前記判定手段により判定する、ように構成すればよい。
【００１２】
このように構成された電話端末によれば、送受話部は、本体部から使用状態の問い合わせを受けた際、送受話部自身がインターネットを介した音声通話中であれば音声通話中であること、音声通話中でなければ音声通話中でないことを通知手段により通知することができる。そして、本体部は、送受話部から音声通話中であることが通知されたら送受話部が音声通話不可能であり、音声通話中でないことが通知されたら送受話部が音声通話可能であると判定手段により判定することができる。このように、送受話部が音声通話中であるか否かに基づいて、音声通話可能かどうかを判定することができる。
【００１３】
また、本体部の判定手段は、送受話部それぞれを着信に応答可能な状態か否かを設定可能に構成し、この設定状態に基づいて、音声通話可能かどうかを判定するように構成してもよい。
より具体的な構成としては、例えば、請求項３に記載のように、
前記送受話部は、利用者の操作を受けて当該送受話部が着信に応答可能な状態か否かを設定できる設定手段を備えており、前記本体部から使用状態の問い合わせを受けた際に、前記設定手段により応答不可能な状態に設定されていれば応答不可能な状態であること、応答可能な状態に設定されていれば応答可能な状態であることを前記通知手段により通知して、
前記本体部は、前記送受話部から応答不可能な状態であることを通知されたら該送受話部が音声通話不可能であり、応答可能な状態であることを通知されたら該送受話部が音声通話可能であると前記判定手段により判定する、ように構成すればよい。
【００１４】
このように構成された電話端末によれば、送受話部は、本体部から使用状態の問い合わせを受けた際、送受話部自身が応答不可能な状態に設定されていれば応答不可能であること、応答可能な状態に設定されていれば応答可能であることを通知手段により通知することができる。そして、本体部は、送受話部から応答不可能な状態であることが通知されたら送受話部が音声通話不可能であり、応答可能な状態であることが通知されたら送受話部が音声通話可能であると判定手段により判定することができる。このように、送受話部自身で設定された設定状態に基づいて、音声通話可能かどうかを判定することができる。
【００１５】
特に、この構成においては、請求項４に記載のように、
前記送受話部は、前記本体部から使用状態の問い合わせを受けた際に、前記設定手段により応答不可能な状態に設定されている場合、前記通知手段によって、応答不可能な状態であることを通知すると共に、応答不可能である旨を通知するためのメッセージを前記本体部へ出力して、
前記本体部は、前記判定手段により前記送受話部が音声通話不可能であると判定された場合には、前記着信応答手段によって、応答不可能な状態であることの通知と共に前記送受話部から入力したメッセージを、音声通話不可能である旨を通知するためのメッセージとして発信元へ出力する、ように構成するとよい。
【００１６】
このように構成された電話端末によれば、送受話部は、送受話部自身が応答不可能な状態に設定されていれば、通知手段によって、応答不可能であることを通知すると共に、応答不可能である旨を通知するためのメッセージを本体部へ出力することができる。そして、本体部は、送受話部から応答不可能な状態であることが通知されたら送受話部が音声通話可能であると判定手段により判定して、着信応答手段により、応答不可能な状態であることを通知する際には、送受話部から入力したメッセージを音声通話不可能である旨を通知するためのメッセージとして発信元へ出力することができる。
【００１７】
また、この構成によれば、送受話部それぞれに対して異なるメッセージを設定しておくことによって、音声通話不可能である旨を通知するためのメッセージとして、送受話部毎に異なるメッセージを発信元へ出力することができる。
また、本体部の判定手段が、送受話部それぞれの設定状態に基づいて、音声通話可能かどうかを判定するための別の構成としては、請求項５に記載のように、前記本体部は、利用者の操作を受けて前記複数の送受話部それぞれが着信に応答可能な状態か否かを個別に設定できる設定手段を備え、インターネットを介して前記識別情報に基づく着信を受けた際、該識別情報の割り当てられた前記送受話部が応答不可能な状態に設定されていれば該送受話部が音声通話不可能であり、応答可能な状態に設定されていれば該送受話部が音声通話可能であると前記判定手段により判定する、ように構成してもよい。
【００１８】
このように構成された電話端末によれば、インターネットを介して前記識別情報に基づく着信を受けた際、この識別情報の割り当てられた送受話部が応答不可能な状態に設定されていれば、送受話部が音声通話不可能であり、応答可能な状態に設定されていれば、送受話部が音声通話可能であると判定手段により判定することができる。このように、本体部で設定された送受話部の設定状態に基づいて、音声通話可能かどうかを判定することができる。特に、この構成であれば、複数の送受話器の設定状態を本体部によって集中的に設定することができる。
【００１９】
また、請求項６に記載の電話端末は、
前記本体部は、音声信号を記録可能な音声記録手段と、前記着信応答手段によりメッセージを発信元へ出力した後、該発信元から入力される音声信号を前記音声記録手段に記録させる記録指令手段とを備えている、ことを特徴とする。
【００２０】
このように構成された電話端末によれば、着信応答手段によりメッセージを発信元へ出力した後、記録指令手段によって、発信元から入力される音声信号を音声記録手段に記録させることができる。このように、送受話部が音声通話不可能である場合には、発信元から音声信号として入力されるメッセージを記録手段により録音することによって、留守電機能を実現することができる。
【００２１】
また、請求項７に記載の電話端末は、
前記本体部は、前記問合手段による問い合わせに対して応答がなかった場合に、前記送受話部が音声通話不可能であると前記判定手段により判定する、ことを特徴とする。
【００２２】
このように構成された電話端末によれば、問合手段による問い合わせに対して送受話部からの応答がなかった場合には、送受話部が音声通話不可能であると判定手段により判定することができる。そのため、送受話部が、例えば、故障していて問い合わせに応答できない場合、送受話部が無線通話用の子機端末であって、この子機端末を駆動する電池の残り容量が少なくなったり、無線通話に際して子機端末が送信する電波の受信レベルが所定のしきい値以下（つまり、圏外）になったことに起因して問い合わせに応答できない場合には、送受話部が音声通話不可能であると判定することができる。
【００２３】
また、請求項８に記載の電話端末は、
それぞれにインターネット上の識別情報が割り当てられた複数の送受話部と、インターネットを介して伝送される音声信号を入出力すると共に、該音声信号を前記送受話部へ中継する本体部とからなる電話端末であって、
前記本体部は、
インターネットを介して前記識別情報に基づく着信を受けた際に、該識別情報が割り当てられている前記送受話部へ使用状態を問い合わせる問合手段と、
該問合手段による問い合わせに対して応答された使用状態に基づいて、前記送受話部が音声通話可能かどうかを判定する判定手段と、
該判定手段により前記送受話部が音声通話可能であると判定されたら、該送受話部のみを呼び出して発信元とのインターネットを介した音声通話を開始させる着信応答手段と、を備え、
前記送受話部は、
前記本体部から使用状態の問い合わせを受けた際に、当該送受話部の使用状態を前記本体部へ通知する通知手段を備えている、ことを特徴とする。
【００２４】
このように構成された電話端末によれば、インターネットを介して識別情報に基づく着信を受けた際に、この識別情報の割り当てられている送受話部が音声通話可能かどうかを判定手段により判定して、この判定結果で送受話部が音声通話可能である場合は、この送受話部を呼び出して発信元（着信元）とのインターネットを介した音声通話を開始させるといった処理を着信応答手段により実行することができる。このように、インターネットを介して着信を受けた際、その着信に対する音声通話を、着信を受けた送受話部（端末）と発信元との間で確実に開始することができる。
【００２５】
また、インターネットを介して識別情報に基づく着信を受けた際、この識別情報の送受話部が音声通話可能な状態か否かを判定手段により判定することができ、この判定結果で音声通話可能である場合のみ、着信応答手段により送受話部の呼び出しを行うことができる。
【００２６】
なお、上述した「インターネット上の識別情報」とは、インターネット上に存在するデバイスやデータの位置、座標などを識別するための情報である。また、本体部の問合手段は、請求項１と同様に、送受話部へ使用状態を問い合わせる手段である。また、送受話部の通知手段は、請求項１と同様に、送受話部自身の使用状態を本体部へ通知する手段である。
【００２７】
また、この電話端末は、請求項１から請求項７のいずれかに記載の電話端末と同様に構成してもよく、この場合、請求項１から請求項７のいずれかに記載の電話端末と同様の作用・効果を得ることができる。
また、請求項９に記載の端末制御プログラムは、
それぞれにインターネット上の識別情報が割り当てられた複数の送受話部と、インターネットを介して伝送される音声信号を入出力すると共に、該音声信号を前記送受話部へ中継する本体部とからなる電話端末を制御するための各種手順を、コンピュータシステムに実行させるための端末制御プログラムであって、
インターネットを介して前記識別情報に基づく着信を受けた際に、該識別情報が割り当てられている前記送受話部の使用状態に基づいて、前記送受話部が音声通話可能かどうかを判定する判定手順と、
該判定手順における前記送受話部が音声通話可能であると判定された場合は、該送受話部を呼び出して発信元とのインターネットを介した音声通話を開始させる一方、音声通話不可能であると判定された場合には、音声通話不可能である旨を通知するためのメッセージを発信元へ出力する着信応答手順と、が含まれている、ことを特徴とする。
【００２８】
このようなプログラムにより制御されるコンピュータシステムは、請求項１に記載の電話端末の一部を構成することができるため、このコンピュータシステムを一部構成とした電話端末は、請求項１に記載の電話端末と同様の作用・効果を得ることができる。
【００２９】
また、この端末制御プログラムを、判定手順においては、請求項２に記載の前記判定手段と同様に、送受話部が音声通話可能かどうかを判定するようなプログラムとしてもよい。この場合、コンピュータシステムが、請求項２に記載の電話端末の一部を構成できるため、このコンピュータシステムを一部構成とした電話端末は、請求項２に記載の電話端末と同様の作用・効果を得ることができる。
【００３０】
また、請求項９に記載の端末制御プログラムを、請求項３または請求項４に記載の設定手段と同様に、送受話部が着信に応答可能な状態か否かを利用者に設定させる設定手順が含まれたプログラムとして、判定手順においては、請求項３から請求項５のいずれかに記載の判定手段と同様に、送受話部が音声通話可能かどうかを判定するようなプログラムとしてもよい。この場合、コンピュータシステムが、請求項３から請求項５のいずれかに記載の電話端末の一部を構成できるため、このコンピュータシステムを一部構成とした電話端末は、請求項３から請求項５のいずれかに記載の電話端末と同様の作用・効果を得ることができる。
【００３１】
また、請求項９に記載の端末制御プログラムを、本体部に音声信号を記録可能な音声記録手段を備えた電話端末を制御するための各種手順をコンピュータシステムに実行させるための端末制御プログラムとし、請求項６に記載の記録指令手段と同様に、音声信号を音声記録手段に記録させる記録指令手順が含まれたプログラムとしてもよい。この場合、コンピュータシステムが、請求項６に記載の電話端末の一部を構成できるため、このコンピュータシステムを一部構成とした電話端末は、請求項６に記載の電話端末と同様の作用・効果を得ることができる。
【００３２】
また、請求項９に記載の端末制御プログラムを、判定手順においては、請求項７に記載の判定手段と同様に、送受話部が音声通話不可能であると判定するようなプログラムとしてもよい。この場合、コンピュータシステムが、請求項７に記載の電話端末の一部を構成できるため、このコンピュータシステムを一部構成とした電話端末は、請求項７に記載の電話端末と同様の作用・効果を得ることができる。
【００３３】
また、請求項１０に記載の端末制御プログラムは、
それぞれにインターネット上の識別情報が割り当てられた複数の送受話部と、インターネットを介して伝送される音声信号を入出力すると共に、該音声信号を前記送受話部へ中継する本体部とからなる電話端末を制御するための各種手順を、コンピュータシステムに実行させるための端末制御プログラムであって、
インターネットを介して前記識別情報に基づく着信を受けた際に、該識別情報が割り当てられている前記送受話部の使用状態に基づいて、前記送受話部が音声通話可能かどうかを判定する判定手順と、
該判定手順における前記送受話部が音声通話可能であると判定された場合は、該送受話部のみを呼び出して発信元とのインターネットを介した音声通話を開始させる着信応答手順と、が含まれている、ことを特徴とする。
【００３４】
このようなプログラムにより制御されるコンピュータシステムは、請求項８に記載の電話端末の一部を構成することができるため、このコンピュータシステムを一部構成とした電話端末は、請求項８に記載の電話端末と同様の作用・効果を得ることができる。
【００３５】
なお、上述した端末制御プログラムは、例えば、ＦＤ、ＣＤ−ＲＯＭ、メモリーカードなどの記録媒体、インターネットなどの通信回線網を介して、電話端末自身、コンピュータシステム、または、これらを利用する利用者に提供されるものである。また、これらのシステム制御プログラムを実行するコンピュータシステムとしては、例えば、電話端末を構成するコンピュータシステム、電話端末に無線または有線の通信路を介してデータ通信可能に接続されたコンピュータシステムなどを利用することができる。
【００３６】
【発明の実施の形態】
次に本発明の実施の形態について例を挙げて説明する。
電話端末１は、電話回線網１００およびインターネット網２００に接続された状態で使用されるものであって、図１に示すように、電話端末１全体の動作を制御する制御部１０、ハンドセット２０、無線通信用の子機端末３０、ユーザインターフェース部（以降、ユーザＩ／Ｆ）４０などにより構成される。
【００３７】
制御部１０は、電話回線網１００を伝送される音声信号を入出力する回線制御部１２、インターネット網２００を伝送されるパケット単位のデータ（以降、ＩＰパケットとする）を入出力する通信制御部１４、子機端末３０との間で各種制御用のＩＰパケットを無線通信で送受信する無線制御部１６などを備えている。
【００３８】
この制御部１０は、回線制御部１２の機能により、電話回線網１００経由で入力した音声信号をハンドセット２０へ出力すると共に、利用者がハンドセット２０へ入力した音声に基づく音声信号を電話回線網１００へ出力することができる。
【００３９】
また、通信制御部１４の機能により、インターネット網２００経由で入力したＩＰパケットに基づき音声信号を生成してハンドセット２０へ出力すると共に、ハンドセット２０へ入力された音声信号に基づきＩＰパケットを生成してインターネット網２００へ出力することができる。
【００４０】
また、回線制御部１２および通信制御部１４の機能により、電話回線網１００経由で入力した音声信号に基づきＩＰパケットを生成してインターネット網２００へ出力すると共に、インターネット網２００から入力したＩＰパケットに基づき音声信号を生成して電話回線網１００へ出力することができる。
【００４１】
また、回線制御部１２および無線制御部１６の機能により、電話回線網１００経由で入力した音声信号に基づきＩＰパケットを生成して子機端末３０へ無線通信で送信すると共に、子機端末３０から無線通信で受信したＩＰパケットに基づき音声信号を生成して電話回線網１００へ出力できる。
【００４２】
そして、通信制御部１４および無線制御部１６の機能により、インターネット網２００経由で入力したＩＰパケットを無線通信で子機端末３０へ送信すると共に、子機端末３０から無線通信で受信したＩＰパケットをインターネット網２００へ出力できる。
【００４３】
子機端末３０は、第１の子機端末３０ａ、第２の子機端末３０ｂおよび第３の子機端末３０ｃからなり、それぞれが、子機端末３０全体の動作を制御する制御部３２、複数のキー・スイッチからなる操作パネル３４、マイク・スピーカおよびこれらを駆動する駆動回路からなる送受話部３６、スピーカおよびスピーカを駆動する駆動回路からなるスピーカ部３８などで構成される。これらのうち、操作パネル３４は、文字、数字および記号を入力するための文字キー、ＩＰ着信モードを切り替えるモード切替スイッチなどを備えている。この「ＩＰ着信モード」とは、インターネット網２００を介して着信を受けた際の子機端末３０としての対応を示すモードであって、モード切替スイッチによって、着信を受けた際に呼び出しを行い音声通話を開始する通常モード（ＯＦＦ側）、または、留守電機能を利用する留守モード（ＯＮ側）に切り替えることができる。
【００４４】
この子機端末３０は、制御部３２によって、電話端末１本体から無線通信で受信したＩＰパケットに基づき音声信号を生成して送受話部３６へ出力すると共に、送受話部３６へ入力された音声信号に基づきＩＰパケットを生成して電話端末１本体へ無線通信で送信することができる。また、操作パネル３４が操作された際、操作内容を示す各種制御用のＩＰパケットを電話端末１本体へ無線通信で送信することができ、このＩＰパケットを受信した電話端末１の制御部１０は、制御用のＩＰパケットに基づいて、子機端末３０の操作パネル３４が操作されたことの検出および操作内容の特定が可能である。
【００４５】
ユーザＩ／Ｆ４０は、複数のキー・スイッチからなる操作パネル４２、各種情報を表示する表示パネル４４、スピーカおよびスピーカを駆動する駆動回路からなるスピーカ部４６などで構成される。これらのうち、操作パネル４２は、文字、数字および記号を入力するための文字キー、着信モードを切り替えるモード切替スイッチなどを備えている。この「着信モード」とは、電話回線網１００を介して着信を受けた際の電話端末１全体としての対応、および、インターネット網２００を介して着信を受けた際のハンドセット２０として対応を示すものであって、モード切替スイッチによって、着信を受けた際に呼び出しを行い音声通話を開始させる通常モード（ＯＦＦ側）、または、留守電機能を利用する留守モード（ＯＮ側）に切り替えることができる。
【００４６】
なお、上述したハンドセット２０および各子機端末３０は、送受話器として機能するものであって、これらの送受話器には、図２に示したように、それぞれに異なるＩＰアドレスが割り当てられている。
［制御部１０による電話着信処理］
以下に、制御部１０が実行する電話着信処理を図３に基づいて説明する。この電話着信処理は、電話回線網１００からの着信を受けた際に開始される。
【００４７】
まず、着信モードが留守モードかどうかをチェックする（ｓ１００）。この処理では、操作パネル４２のモード切替スイッチが、留守モード側（ＯＮ側）に切り替えられていれば留守モードであると判定し、通常モード側（ＯＦＦ側）に切り替えられていれば留守モードでないと判定する。
【００４８】
このｓ１００の処理で、着信モードが留守モードでない場合（ｓ１００：ＮＯ）、ハンドセット２０によりインターネット網２００を介した音声通話が行われているかどうかをチェックする（ｓ１１０）。
このｓ１１０の処理でハンドセット２０により音声通話が行われていなければ（ｓ１１０：ＮＯ）、電話端末１本体による呼び出しを開始する（ｓ１２０）。この処理では、ユーザＩ／Ｆ４０に対して呼出音の出力開始を指令して、この指令を受けたユーザＩ／Ｆ４０がスピーカ部４６により呼出音の出力を開始する。
【００４９】
このｓ１２０の処理を終えた後、または、ｓ１１０の処理でハンドセット２０による音声通話が行われていれば（ｓ１１０：ＹＥＳ）、第１の子機端末３０ａによりインターネット網２００を介した音声通話が行われているかどうかをチェックする（ｓ１３０）。この処理では、第１の子機端末３０ａに対して、使用状態の通知を要求するための制御用ＩＰパケットを送信して、このＩＰパケットを受信した第１の子機端末３０ａからは、インターネット網２００を介した音声通話中であれば音声通話中である旨を通知するための制御用ＩＰパケットが送信されてきて、音声通話中でなければ音声通話中でない旨を通知するための制御用ＩＰパケットが送信されてくる。これにより、第１の子機端末３０ａによりインターネット網２００を介した音声通話が行われているかどうかをチェックする。
【００５０】
このｓ１３０の処理で第１の子機端末３０ａによる音声通話が行われていなければ（ｓ１３０：ＮＯ）、第１の子機端末３０ａによる呼び出しを開始する（ｓ１４０）。この処理では、第１の子機端末３０ａに対して呼出音の出力開始を指令するための制御用ＩＰパケットを送信して、このＩＰパケットを受信した第１の子機端末３０ａがスピーカ部３８により呼出音の出力を開始する。
【００５１】
このｓ１４０の処理を終えた後、または、ｓ１３０の処理で第１の子機端末３０ａによる音声通話が行われていれば（ｓ１３０：ＹＥＳ）、第２の子機端末３０ｂによりインターネット網２００を介した音声通話が行われているかどうかをチェックする（ｓ１５０）。この処理は、ｓ１３０の処理と同様に、第２の子機端末３０ｂに制御用ＩＰパケットを送信して、第２の子機端末３０ｂからは、音声通話中であれば音声通話中である旨を通知するための制御用ＩＰパケットが送信されてきて、音声通話中でなければ音声通話中でない旨を通知するための制御用ＩＰパケットが送信されてくる。これにより、第２の子機端末３０ｂによりインターネット網２００を介した音声通話が行われているかどうかをチェックする。
【００５２】
このｓ１５０の処理で第２の子機端末３０ｂによる音声通話が行われていなければ（ｓ１５０：ＮＯ）、第２の子機端末３０ｂによる呼び出しを開始する（ｓ１６０）。この処理では、第２の子機端末３０ｂに対して呼出音の出力開始を指令するための制御用ＩＰパケットを送信して、このＩＰパケットを受信した第２の子機端末３０ｂがスピーカ部３８により呼出音の出力を開始する。
【００５３】
このｓ１６０の処理を終えた後、または、ｓ１５０の処理で第２の子機端末３０ｂによる音声通話が行われていれば（ｓ１５０：ＹＥＳ）、第３の子機端末３０ｃによりインターネット網２００を介した音声通話が行われているかどうかをチェックする（ｓ１７０）。この処理は、ｓ１３０、ｓ１５０の処理と同様に、第３の子機端末３０ｃに制御用ＩＰパケットを送信して、第３の子機端末３０ｃからは、音声通話中であれば音声通話中である旨を通知するための制御用ＩＰパケットが送信されてきて、音声通話中でなければ音声通話中でない旨を通知するための制御用ＩＰパケットが送信されてくる。これにより、第３の子機端末３０ｃによりインターネット網２００を介した音声通話が行われているかどうかをチェックする。
【００５４】
このｓ１７０の処理で第３の子機端末３０ｃによる音声通話が行われていなければ（ｓ１７０：ＮＯ）、第３の子機端末３０ｃによる呼び出しを開始する（ｓ１８０）。この処理では、第３の子機端末３０ｃに対して呼出音の出力開始を指令するための制御用ＩＰパケットを送信して、このＩＰパケットを受信した第３の子機端末３０ｃがスピーカ部３８により呼出音の出力を開始する。
【００５５】
このｓ１８０の処理を終えた後、いずれかの送受話器が呼び出しに応答したかどうかをチェックする（ｓ１９０）。この処理では、ハンドセット２０および各子機端末３０のいずれかにより通話を開始するための操作（オフフック操作）が行われたかどうかがチェックされる。
【００５６】
このｓ１９０の処理で、いずれかの送受話器が呼び出しに応答していなければ（ｓ１９０：ＮＯ）、ｓ１１０の処理へ戻る。
一方、ｓ１９０の処理で、いずれかの送受話器が呼び出しに応答したら（ｓ１９０：ＹＥＳ）、ｓ１２０、ｓ１４０、ｓ１６０、ｓ１８０の各処理で開始した呼び出しを終了する（ｓ２００）。この処理では、ユーザＩ／Ｆ４０に対して呼出音の出力終了が指令され、この指令を受けたユーザＩ／Ｆ４０が呼出音の出力を終了する。また、各子機端末３０に対して呼出音の出力終了を指令するための制御用ＩＰパケットが送信され、このＩＰパケットを受信した各子機端末３０が呼出音の出力を終了する。
【００５７】
次に、ｓ１９０の処理で呼び出しに応答した送受話器と発信元（着信元）との音声通話を開始させる（ｓ２１０）。この処理では、電話回線網１００から呼び出しに応答した送受話器までの音声信号の伝送経路を設定して、電話端末１（の送受話器）と発信元との回線が接続された状態とすることによって、音声通話が開始される。
【００５８】
次に、音声通話を終了するための操作が行われるまで待機する（ｓ２２０：ＮＯ）。この処理では、ｓ１９０の処理で呼び出しに応答した送受話器により、音声通話を終了するための操作（オンフック操作）が行われるまで待機する。
このｓ２２０の処理で、音声通話を終了するための操作が行われたら（ｓ２２０：ＹＥＳ）、通話終了処理を行う（ｓ２３０）。この処理では、電話回線網１００から呼び出しに応答した送受話器までの音声信号の伝送経路を解除して、電話端末１（の送受話器）と発信元との回線が切断された状態とすることによって、音声通話が終了される。
【００５９】
このｓ２３０の処理を終えた後、本電話着信処理を終了する。
また、上述したｓ１００の処理で、着信モードが留守モードである場合（ｓ１００：ＹＥＳ）、留守モードに設定されている旨を発信元へ通知する（ｓ２４０）。この処理では、電話端末１（の制御部１０）と発信元との回線が接続された状態とした後、留守モードに設定されている旨のメッセージ（の音声信号）を電話回線網１００経由で発信元に向けて出力する。なお、このメッセージは、制御部１０内蔵のメモリ内にあらかじめ記録されているものである。
【００６０】
次に、留守モードに設定されている旨の通知が終了したかどうかをチェックする（ｓ２５０）。この処理では、電話回線網１００へのメッセージの出力が終了していれば通知が終了したと判定し、メッセージの出力が終了していなければ通知が終了していないと判定する。
【００６１】
このｓ２５０の処理で、留守モードに設定されている旨の通知が終了したら（ｓ２５０：ＹＥＳ）、発信元から電話回線網１００経由で入力されるメッセージ（の音声信号）の記録を開始する（ｓ２６０）。この処理では、発信元から電話回線網１００経由で入力されるメッセージを、制御部１０内蔵のメモリ内に記録（いわゆる留守録）し始める。また、この処理では、タイマーによるカウントをスタートする。
【００６２】
次に、発信元からのメッセージの入力が終了したかどうかをチェックする（ｓ２７０）。
このｓ２７０の処理で、発信元からのメッセージの入力が終了していない場合（ｓ２７０：ＮＯ）、ｓ２６０の処理でメッセージの記録を開始してから所定時間（本実施形態においては、２０秒）経過したかどうかをチェックし（ｓ２８０）、所定時間が経過していなければ（ｓ２８０：ＮＯ）、ｓ２７０の処理へ戻る。この処理では、ｓ２６０の処理でスタートされたタイマーのカウント値をチェックすることによって、所定時間を経過したかどうかをチェックする。
【００６３】
こうして、ｓ２７０の処理で発信元からのメッセージの入力が終了している場合（ｓ２７０：ＹＥＳ）、または、ｓ２８０の処理で所定時間が経過しているとき（ｓ２８０：ＹＥＳ）、発信元から電話回線網１００経由で入力されるメッセージ（の音声信号）の記録を終了する（ｓ２９０）。この処理では、発信元から入力されるメッセージの記録を終了すると共に、電話端末１（の制御部１０）と発信元との回線が切断された状態とする。また、この処理では、タイマーをストップおよびリセットする。
【００６４】
そして、通話終了処理を行った後（ｓ３００）、本電話着信処理を終了する。この処理では、ｓ２３０の処理と同様に、電話端末１と発信元最寄りの交換機との回線を切断した状態とする。
また、ｓ２５０の処理で、留守モードに設定されている旨の通知が終了していなければ（ｓ２５０：ＮＯ）、発信元において音声通話が終了されたかどうかをチェックする（ｓ３１０）。この処理では、発信元から音声通話を終了する操作（以降、オンフック操作とする）が行われた際に発信元最寄りの交換機から出力されてくる切断信号を入力したことを、発信元において音声通話が終了されたととして判定する。
【００６５】
このｓ３１０の処理で、発信元において音声通話が終了されていなければ（ｓ３１０：ＮＯ）、ｓ２５０の処理へ戻る。
一方、ｓ３１０の処理で、発信元において音声通話が終了されていれば（ｓ３１０：ＹＥＳ）、ｓ３００の処理へ移行する。
【００６６】
［制御部１０によるインターネット着信処理］
以下に、制御部１０が実行するインターネット着信処理を図４に基づいて説明する。このインターネット着信処理は、インターネット網２００からの着信を受けた際に開始される。
【００６７】
まず、インターネット網２００から受けた着信がいずれの送受話器に対する着信であるかをチェックする（ｓ４１０）。インターネット網２００からの着信は、各送受話器に割り当てられているＩＰアドレスに基づいて受けることになるため、この処理では、いずれのＩＰアドレスに基づく着信であるかをチェックする。
【００６８】
このｓ４１０の処理でハンドセット２０（に割り当てられたＩＰアドレス）に対する着信であれば（ｓ４２０：ＹＥＳ）、ハンドセット２０に対する個別インターネット着信処理を行う（ｓ４３０）。この個別インターネット着信処理は、ハンドセット２０に対する着信に対応するための処理であって、具体的な処理手順は、後述の［制御部１０による個別インターネット着信処理］（図５）において説明する。
【００６９】
また、ｓ４１０の処理で第１の子機端末３０ａ（に割り当てられたＩＰアドレス）に対する着信であれば（ｓ４２０：ＮＯ、ｓ４４０：ＹＥＳ）、第１の子機端末３０ａに対する個別インターネット着信処理を行う（ｓ４５０）。この処理もｓ４３０の処理と同様に、第１の子機端末３０ａに対する着信に対応するための処理であって、後述の［制御部１０による個別インターネット着信処理］（図５）において詳述する。
【００７０】
また、ｓ４１０の処理で第２の子機端末３０ｂ（に割り当てられたＩＰアドレス）に対する着信であれば（ｓ４２０：ＮＯ、ｓ４４０：ＮＯ、ｓ４６０：ＹＥＳ）、第２の子機端末３０ｂに対する個別インターネット着信処理を行う（ｓ４７０）。この処理もｓ４３０、ｓ４５０の処理と同様に、第２の子機端末３０ｂに対する着信に対応するための処理であって、後述の［制御部１０による個別インターネット着信処理］（図５）において詳述する。
【００７１】
また、ｓ４１０の処理で第３の子機端末３０ｃ（に割り当てられたＩＰアドレス）に対する着信であれば（ｓ４２０：ＮＯ、ｓ４４０：ＮＯ、ｓ４６０：ＮＯ）、第３の子機端末３０ｃに対する個別インターネット着信処理を行う（ｓ４８０）。この処理もｓ４３０、ｓ４５０、ｓ４７０の処理と同様に、第３の子機端末３０ｃに対する着信に対応するための処理であって、後述の［制御部１０による個別インターネット着信処理］（図５）において詳述する。
【００７２】
こうして、ｓ４３０、ｓ４５０、ｓ４７０、ｓ４８０の処理を終えた後、本インターネット着信処理を終了する。
［制御部１０による個別インターネット着信処理］
以下に、制御部１０が実行する個別インターネット着信処理の処理手順を図５に基づいて説明する。この個別インターネット着信処理は、図４におけるｓ４３０、ｓ４５０、ｓ４７０、ｓ４８０の処理の詳細な処理手順である。
【００７３】
まず、インターネット網２００から着信を受けた送受話器の使用状態をチェックする（ｓ５１０）。この処理では、着信を受けた送受話器の使用状態として、音声通話中であるか、着信モードは留守モードであるかをチェックする。まず、着信を受けた送受話器がハンドセット２０である場合は、ハンドセット２０が電話回線網１００またはインターネット網２００を介しての音声通話中か否かをチェックすると共に、操作パネル４２のモード切替スイッチによる切替状態により着信モードをチェックする。また、着信を受けた送受話器が子機端末３０である場合には、子機端末３０に対して、使用状態の通知を要求するための制御用ＩＰパケットを送信する。このＩＰパケットを受信した子機端末３０は、子機端末３０自身の使用状態を示す制御用ＩＰパケットを送信してくる。このＩＰパケットは、子機端末３０の使用状態として、ＩＰ着信モードが留守モードであれば留守モードであること、電話回線網１００またはインターネット網２００を介しての音声通話中であれば音声通話中であること、音声通話中でなければ音声通話中でないことを示すものである。そして、このＩＰパケットにより、着信を受けた送受話器の使用状態をチェックする。
【００７４】
このｓ５１０の処理でチェックした使用状態が音声通話中でない場合（ｓ５２０：ＮＯ）、着信モード（またはＩＰ着信モード）が留守モードかどうかをチェックする（ｓ５３０）。
このｓ５３０の処理で着信モードが留守モードでなければ（ｓ５３０：ＮＯ）、送受話器に対する呼び出しを開始する（ｓ５４０）。この処理では、着信を受けた送受話器がハンドセット２０であれば、ユーザＩ／Ｆ４０に対して呼出音の出力開始を指令して、この指令を受けたユーザＩ／Ｆ４０がスピーカ部４６により呼出音の出力を開始する。また、着信を受けた送受話器が子機端末３０であれば、子機端末３０に対して呼出音の出力開始を指令するための制御用ＩＰパケットを送信して、このＩＰパケットを受信した子機端末３０がスピーカ部３８により呼出音の出力を開始する。
【００７５】
このｓ５４０の処理を終えた後、送受話器が呼び出しに応答したかどうかをチェックする（ｓ５５０）。この処理では、オフフック操作が行われたかどうかをチェックする。
このｓ５５０の処理で、送受話器が呼び出しに応答していない場合（ｓ５５０：ＮＯ）、着信が継続していれば（ｓ５６０：ＹＥＳ）、ｓ５５０の処理へ戻り、着信が継続していなければ（ｓ５６０：ＮＯ）、ｓ５４０の各処理で開始した呼び出しを終了する（ｓ５７０）。この処理では、ｓ５４０の処理で呼び出しを開始した送受話器がユーザＩ／Ｆ４０であれば、ユーザＩ／Ｆ４０に対して、呼出音の出力終了を指令して、この指令を受けたユーザＩ／Ｆ４０が呼出音の出力を終了する。また、ｓ５４０の処理で呼び出しを開始した送受話器が子機端末３０であれば、子機端末３０に対して、呼出音の出力終了を指令するための制御用ＩＰパケットを送信して、このＩＰパケットを受信した子機端末３０が呼出音の出力を終了する。
【００７６】
このｓ５７０の処理を終えた後、本個別インターネット着信処理を終了する。また、ｓ５５０の処理で、送受話器が呼び出しに応答した場合（ｓ５５０：ＹＥＳ）、ｓ５４０の各処理で開始した呼び出しを終了する（ｓ５８０）。この処理は、ｓ５７０の処理と同様の処理である。
【００７７】
次に、ｓ５５０の処理で呼び出しに応答した送受話器と発信元との音声通話を開始させる（ｓ５９０）。この処理は、図３におけるｓ２１０の処理と同様に、電話端末１（の送受話器）と発信元との回線が接続された状態とすることにより音声通話が開始される。
【００７８】
次に、音声通話が継続されなくなるまで待機する（ｓ６００：ＮＯ）。この処理は、図３におけるｓ２２０の処理と同様に、オンフック操作が行われるまで待機する。
このｓ６００の処理で、音声通話が継続されなくなったら（ｓ６００：ＹＥＳ）、通話終了処理を行う（ｓ６１０）。この処理は、図３におけるｓ２３０、ｓ３１０の処理と同様に、電話端末１（の送受話器）と発信元との回線が切断された状態とすることにより音声通話が終了される。
【００７９】
このｓ６１０の処理を終えた後、本個別インターネット着信処理を終了する。また、ｓ５１０の処理でチェックした使用状態が音声通話中である場合（ｓ５２０：ＹＥＳ）、音声通話中である旨を発信元へ通知する（ｓ６２０）。この処理では、音声通話中である旨を通知するためのメッセージ（の音声信号）が、発信元へ出力される。なお、このメッセージは、制御部１０内蔵のメモリ内にあらかじめ記録されているものである。
【００８０】
また、ｓ５３０の処理で着信モード（またはＩＰ着信モード）が留守モードである場合（ｓ５３０：ＹＥＳ）。留守モードに設定されている旨を発信元へ通知する（ｓ６３０）。この処理では、図３におけるｓ２４０の処理と同様に、留守モードに設定されている旨のメッセージを発信元に向けて出力する。
【００８１】
こうして、ｓ６３０の処理を終えた後、または、ｓ６２０の処理を終えた後、通知（ｓ６２０またはｓ６３０の処理による）が終了したかどうかをチェックする（ｓ６４０）。この処理では、図３におけるｓ２５０の処理と同様に、メッセージの出力が終了していれば通知が終了したと判定し、メッセージの出力が終了していなければ通知が終了していないと判定する。
【００８２】
このｓ６４０の処理で、通知が終了していたら（ｓ６４０：ＹＥＳ）、発信元から電話回線網１００経由で入力されるメッセージ（の音声信号）の記録を開始する（ｓ６５０）。この処理では、図３におけるｓ２６０の処理と同様に、発信元から入力されるメッセージを記録し始めると共に、タイマーによるカウントをスタートする。
【００８３】
次に、発信元からのメッセージの入力が終了したかどうかをチェックする（ｓ６６０）。
このｓ６６０の処理で、発信元からのメッセージの入力が終了していない場合（ｓ６６０：ＮＯ）、ｓ６５０の処理でメッセージの記録を開始してから所定時間（本実施形態においては、２０秒）経過したかどうかをチェックし（ｓ６７０）、所定時間が経過していなければ（ｓ６７０：ＮＯ）、ｓ６６０の処理へ戻る。この処理では、図３におけるｓ２８０の処理と同様に、タイマーのカウント値によって、所定時間を経過したかどうかをチェックする。
【００８４】
こうして、ｓ６６０の処理で発信元からのメッセージの入力が終了している場合（ｓ６６０：ＹＥＳ）、または、ｓ６７０の処理で所定時間が経過しているとき（ｓ６７０：ＹＥＳ）、発信元から電話回線網１００経由で入力されるメッセージ（の音声信号）の記録を終了する（ｓ６８０）。この処理では、図３におけるｓ２９０の処理と同様に、メッセージの記録を終了して、電話端末１と発信元との回線が切断された状態とすると共に、タイマーをストップおよびリセットする。
【００８５】
次に、終了処理を行った後（ｓ６９０）、本電話着信処理を終了する。この処理においては、図３におけるｓ３００の処理と同様に、電話端末１と発信元最寄りの交換機との回線を切断した状態とする。
また、ｓ６４０の処理で、通知が終了していなければ（ｓ６４０：ＮＯ）、発信元において音声通話が終了されたかどうかをチェックする（ｓ７００）。この処理は、図３におけるｓ３００の処理と同様に、切断信号を入力した場合に発信元において音声通話が終了されたと判定する。
【００８６】
このｓ７００の処理で、発信元において音声通話が終了されていなければ（ｓ７００：ＮＯ）、ｓ６４０の処理へ戻る。
一方、ｓ７００の処理で、発信元において音声通話が終了されていれば（ｓ７００：ＹＥＳ）、ｓ６９０の処理へ移行する。
【００８７】
［本発明との対応関係］
以上説明した実施形態において、子機端末３０は送受話部であって、子機端末３０を除く電話端末１本体は本体部である。この電話端末１本体は、制御部１０の各機能によって、音声信号を子機端末３０と電話回線網１００およびインターネット網２００の間で中継している。
【００８８】
また、子機端末３０の操作パネル３４を構成するモード切替スイッチは、本発明における設定手段である。このモード切換スイッチは、ＩＰ着信モードが通常モードであるか、留守モードであるかを設定するものであるが、通常モードは着信に応答可能となるモードであり、留守モードは着信に応答不可能となるモードである。
【００８９】
また、図５におけるｓ５１０の処理は本発明における問合手段であって、ｓ５２０、ｓ５３０の処理は本発明における判定手段である。また、ｓ６２０、ｓ６３０の処理、および、ｓ５４０以降の処理は、本発明における着信応答手段であって、ｓ５２０、ｓ５３０の処理による判定結果に応じて、ｓ６２０、ｓ６３０の処理、および、ｓ５４０以降の処理のいずれかを着信に対して行っている。
【００９０】
また、子機端末３０が、図５におけるｓ５１０の処理で電話端末１本体から送信される制御用ＩＰパケットを受信した際に、自身の使用状態を示す制御用ＩＰパケットを送信する子機端末３０（を構成する制御部１０の機能）は、本発明における通知手段である。
【００９１】
また、図３におけるｓ２６０からｓ２９０の処理、および、図５における６５０から６８０の処理は、本発明における記録指令手段であって、この処理中にメッセージ（の音声信号）を記録するメモリ（制御部１０内蔵）は、本発明における音声記録手段である。
【００９２】
また、各送受話器に割り当てられているＩＰアドレスは、本発明における識別情報である。
［効果］
このように構成された電話端末１によれば、インターネット網２００を介してＩＰアドレスに基づく着信を受けた際に（図４）、このＩＰアドレスの割り当てられている送受話器が音声通話可能かどうかを図５におけるｓ５２０、５３０の処理で判定して、この判定結果で送受話部が音声通話可能である場合、つまり、音声通話中でなく、通常モードである場合は、ｓ５４０以降の処理で、この送受話器を呼び出して発信元とのインターネット網２００を介した音声通話を開始させることができる。一方、音声通話不可能である場合、つまり、音声通話中であるか、留守モードである場合には、ｓ６２０、ｓ６３０の処理で音声通話不可能である旨のメッセージ（音声通話中である旨、留守モードである旨）を発信元へ出力することができる。このように、インターネット網２００を介して着信を受けた際、その着信に対する音声通話を、着信を受けた送受話器と発信元との間で確実に開始することができる。
【００９３】
また、インターネット網２００を介してＩＰアドレスに基づく着信を受けた際、このＩＰアドレスの送受話器が音声通話可能な状態か否かを図５におけるｓ５２０、ｓ５３０の処理で判定することができ、この判定結果で音声通話可能である場合のみ、ｓ５４０の処理で送受話器の呼び出しを行うことができる。
【００９４】
さらに、ｓ５２０、ｓ５３０の処理で音声通話不可能である場合には、ｓ６２０、ｓ６３０の処理で発信元へ出力するメッセージによって、発信元の利用者に音声通話不可能である旨（音声通話中である旨、留守モードである旨）を通知することができる。
【００９５】
また、各子機端末３０は、図５におけるｓ５１０の処理で電話端末１本体から送信される制御用ＩＰパケットを受信した際、ＩＰ着信モードがいずれであるか、また、子機端末３０自身が電話回線網１００またはインターネット網２００を介した音声通話中であれば音声通話中であること、音声通話中でなければ音声通話中でないことを制御部３２の機能により通知することができる。そして、電話端末１本体の制御部１０は、子機端末３０からＩＰ着信モードが留守モードであるか、音声通話中であることが通知された子機端末３０が音声通話不可能であり、ＩＰ着信モードが留守モードではなく、かつ、音声通話中ではないことが通知されたら子機端末３０が音声通話可能であると、ｓ５２０、ｓ５３０の処理で判定していることになる。このように、制御部１０は、子機端末３０が音声通話中であるか否か、および、ＩＰ着信モードに基づいて、音声通話可能かどうかを判定することができる。
【００９６】
また、子機端末３０は、図５におけるｓ５１０の処理で電話端末１本体から送信される制御用ＩＰパケットを受信した際、モード切替スイッチの切替状態によって、通常モードであること、または、留守モードであることを通知することができる。そのため、電話端末１の制御部１０は、図５におけるｓ５３０の処理で、子機端末３０におけるモード切替スイッチの切替状態（設定状態）に基づいて、音声通話可能かどうかを判定することができる。
【００９７】
また、図５におけるｓ６２０、ｓ６３０の処理で通知を行った後、ｓ６５０からｓ６８０の処理の間に、発信元から入力されるメッセージ（の音声信号）を制御部１０内蔵のメモリに記録することができる。このように、送受話器が音声通話不可能である場合には、発信元から入力されるメッセージを制御部１０内蔵のメモリにより録音することによって、留守電機能を実現することができる。
【００９８】
［変形例］
以上、本発明の実施形態について説明したが、本発明は上記の具体的な実施形態に限定されず、このほかにも様々な形態で実施することができる。
例えば、上記実施形態においては、電話端末１に本発明の電話端末としての構成を適用したものを例示した。しかし、本発明の電話端末としての構成は、インターネット網２００を介した音声通話を実現する機能を有していれば、他の装置に適用してもよい。
【００９９】
また、上記実施形態においては、図３、図４、図５の各処理が、電話端末１の制御部１０からなるコンピュータシステムにより実行されるように構成されたものを例示した。しかし、これらの処理の一部または全部が、電話端末１に有線・無線の信号伝送路で接続された別のコンピュータシステムにより実行されるように構成してもよい。
【０１００】
また、上記実施形態においては、図３、図４、図５の各処理が、電話端末１内蔵のメモリに記憶されている処理手順に従って実行されるように構成されたものを例示した。しかし、電話端末１が、ＦＤやメモリーカードなどの記録媒体との間でデータを入出力可能に構成されている場合には、上述の処理手順が記録されている記録媒体に基づいて、上記各処理が実行されるように構成してもよい。
【０１０１】
また、上記実施形態においては、図３におけるｓ２６０以降の処理、図５におけるｓ６５０以降の処理で、発信元から入力されるメッセージが制御部１０内蔵のメモリに記録されるように構成されたものを例示したが、電話端末１が制御部１０内蔵メモリ以外の記録媒体（例えば、ハードディスクやメモリーカード）にデータを記録および読み出し可能に構成されていれば、この記録媒体にデータテーブルを記録させるように構成してもよい。
【０１０２】
また、上記実施形態においては、それぞれの送受話器にＩＰアドレスがインターネット上の識別情報（ＵＲＩ：Ｕｎｉｆｏｒｍ　Ｒｅｓｏｕｒｃｅ　Ｉｄｅｎｔｉｆｉｅｒｓ）として割り当てられているものを例示した。しかし、これら送受話器にＩＰアドレス以外の識別情報（例えば、ＵＲＬ、メールアドレス、電話番号）が割り当てられた構成を採用してもよい。
【０１０３】
また、上記実施形態においては、着信モードを操作パネル４２、３４のモード切替スイッチによりハードウェア的に切り替えることができるように構成されたものを例示した。しかし、着信モードは、ソフトウェア的に設定できるように構成してもよい。具体的には、制御部１０、３２内蔵のメモリに、着信モードを示すフラグを設けて、このフラグの値を操作パネル４２、３４の操作を受けて「０（通常モード）」または「１（留守モード）」のいずれかに設定可能に構成しておき、電話端末１本体の制御部１０は図３におけるｓ１００の処理で、また、子機端末３０の制御部３２は図５におけるｓ５１０の処理で制御用ＩＰパケットを受信した際、上述のフラグにセットされた値に基づいて、着信モードがいずれに切り替えられているかどうかを判定するように構成すればよい。
【０１０４】
また、上記実施形態においては、それぞれの送受話器にＩＰアドレスがインターネット上の識別情報（ＵＲＩ：Ｕｎｉｆｏｒｍ　Ｒｅｓｏｕｒｃｅ　Ｉｄｅｎｔｉｆｉｅｒｓ）として割り当てられているものを例示した。しかし、これら送受話器にＩＰアドレス以外の識別情報（例えば、ＵＲＬ、メールアドレス、電話番号）が割り当てられた構成を採用してもよい。
【０１０５】
また、上記実施形態においては、図５におけるｓ６２０、ｓ６３０の処理で、制御部１０内蔵のメモリにあらかじめ記録されているメッセージが発信元へ出力されるように構成されたものを例示した。しかし、これらの処理で発信元へ出力するメッセージは、例えば、子機端末３０を構成する制御部３２内蔵のメモリに記録しておくように構成してもよい。そして、ｓ５１０の処理で電話端末１本体から送信された制御用ＩＰパケットを受信した際、子機端末３０自身の使用状態を示す制御ＩＰパケットと共に、音声通話中である旨のメッセージ（の音声信号）、または、留守モードである旨のメッセージ（の音声信号）からＩＰパケットを生成し、このＩＰパケットを電話端末１本体へ送信するように構成する。
【０１０６】
この場合、図６に示すように、図５におけるｓ５１０の処理の後、制御部１０は、音声通話中である場合、または、留守モードである場合に、これらの報知と共に子機端末３０から受信したメッセージをそのまま発信元へ出力する（ｓ６２５）ようにして、このｓ６２５の処理の後、ｓ６４０の処理へ移行するように構成するよい。
【０１０７】
このように構成すれば、子機端末３０は、制御部３２の機能によって、子機端末３０自身が音声通話中であれば、音声通話中である旨を報知すると共に、音声通話中である旨のメッセージを電話端末１本体へ送信することができる。また、留守モードに切り替えられていれば、留守モードである旨を報知すると共に、留守モードである旨のメッセージを電話端末１本体へ送信することができる。そして、電話端末１本体は、図５におけるｓ６２０、ｓ６３０の処理において、子機端末３０から受信したメッセージを、音声通話中である旨のメッセージ、または、留守モードである旨のメッセージとして発信元へ出力することができる。また、この構成においては、子機端末３０それぞれに対して異なるメッセージを設定（制御部３２内蔵のメモリに記録）しておくことによって、音声通話中である旨または留守モードである旨を通知するためのメッセージとして、子機端末３０毎に異なるメッセージを発信元へ出力することができる。
【０１０８】
また、上記実施形態においては、子機端末３０それぞれが操作パネル３４のモード切替スイッチによって、着信モードを切替可能に構成されたものを例示した。しかし、子機端末３０それぞれの着信モードを、電話端末１本体の操作パネル４２によって切替可能に構成してもよい。なお、この構成における操作パネル４２は本発明における設定手段である。
【０１０９】
このように構成すれば、インターネット網２００を介してＩＰアドレスに基づく着信を受けた際、このＩＰアドレスの割り当てられた子機端末３０の着信モードを、子機端末３０から通知させることなく、電話端末１本体側でチェックすることができる。特に、この構成であれば、子機端末３０それぞれの着信モードを電話端末１本体の操作パネル３４によって集中的に変更することができる。
【０１１０】
また、制御部１０は、図５におけるｓ５１０の処理で、子機端末３０から送信されてきた制御用ＩＰパケットに基づいて、子機端末３０の使用状態をチェックするように構成されたものを例示した。しかし、子機端末３０が、例えば、故障していて問い合わせに応答できない場合、子機端末３０を駆動する電池の残り容量が少なくなったり、無線通信に際して子機端末３０が送信する電波の受信レベルが所定のしきい値以下（つまり、圏外）になったことに起因して問い合わせに応答できない場合には、制御用ＩＰパケットのやりとりが正常に行われない可能性がある。そこで、ｓ５１０以降の処理において、制御部１０が、図７に示すような処理を行うように構成するとよい。
【０１１１】
制御部１０は、ｓ５１０の処理として、制御用ＩＰパケットを子機端末３０へ送信した際に（ｓ５１２）、タイマーをスタートさせて（ｓ５１４）、子機端末３０から制御用ＩＰパケットを受信したかどうかをチェックする（ｓ５１６）。そして、制御用ＩＰパケットを受信した場合には（ｓ５１６：ＹＥＳ）、タイマーをストップおよびリセットした後（ｓ５１８）、ｓ５２０の処理へ移行する。また、制御用パケットを受信していない場合には（ｓ５１６：ＮＯ）、タイマーのカウント値が所定の値より小さければ（ｓ５２２：ＮＯ）、ｓ５１４の処理へ戻り、タイマーのカウント値が所定の値以上であれば（ｓ５２２：ＹＥＳ）、タイマーをストップおよびリセットした後（ｓ５２４）、子機端末３０が音声通話不可能な状態である旨を報知して（ｓ６１２）、ｓ６４０の処理へ移行する。このｓ６１２の処理では、子機端末３０が音声通話不可能な状態である旨を報知するためのメッセージ（の音声信号）が、発信元へ出力される。なお、このメッセージは、制御部１０内蔵のメモリ内にあらかじめ記録されているものとする。
【０１１２】
このように構成すれば、子機端末３０が、故障していて問い合わせに応答できない場合、子機端末３０を駆動する電池の残り容量が少なくなったり、無線通信に際して子機端末３０が送信する電波の受信レベルが所定のしきい値以下（つまり、圏外）になったことに起因して問い合わせに応答できない場合などには、ｓ５１４の処理で子機端末３０が音声通話不可能な状態であると判定することができる。そして、子機端末３０が音声通話不可能な状態である旨を発信元へ通知することができる。
【図面の簡単な説明】
【図１】実施形態における電話端末の制御系統を示すブロック図
【図２】送受話器とＩＰアドレスとの対応関係を示す図
【図３】電話着信処理の処理手順を示すフローチャート
【図４】インターネット着信処理の処理手順を示すフローチャート
【図５】個別インターネット着信処理の処理手順を示すフローチャート
【図６】別の実施形態における個別インターネット着信処理の処理手順を示すフローチャート
【図７】別の実施形態における個別インターネット着信処理の処理手順を示すフローチャート
【符号の説明】
１・・・電話端末、１０・・・制御部、１２・・・回線制御部、１４・・・通信制御部、１６・・・無線制御部、２０・・・ハンドセット、３０・・・子機端末、３２・・・制御部、３４・・・操作パネル、３６・・・送受話部、３８・・・スピーカ部、４０・・・ユーザインターフェース部、４２・・・操作パネル、４６・・・スピーカ部、４４・・・表示パネル。
【図１】
2004128553.tif 000003
【図２】
2004128553.tif 000004
【図３】
2004128553.tif 000005
【図４】
2004128553.tif 000006
【図５】
2004128553.tif 000007
【図６】
2004128553.tif 000008
【図７】
2004128553.tif 000009